【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
複合サンドイッチ構造であって、
第１及び第２複合積層表面板と、
第１及び第２表面板の間に挟まれた複数のコアセグメントを含むコアと、
構造の不整合性の伝播を阻止する、コアと、第１及び第２表面板それぞれの間の休み手段
を含む複合サンドイッチ構造。
【請求項２】
休み手段が、各コアセグメントの縁部をカバーし且つコアと第１及び第２表面板それぞれの間に挟まれた部分を含む複合ラップ
を含む、請求項１に記載の複合サンドイッチ構造。
【請求項３】
各ラップの断面がおおむねＣ字形であり、一つのコアセグメントの３つの側面をカバーする、請求項１または２に記載の複合サンドイッチ構造。
【請求項４】
コアセグメントが、それぞれの縁部の間の接合部に沿って互いに継合されており、
休み手段が、接合部において各コアセグメントの縁部をカバーする複合ラップを含む、
請求項１ないし３のいずれか一項に記載の複合サンドイッチ構造。
【請求項５】
休み手段がさらに、各接合部を覆っており且つ隣接しているラップと、第１及び第２表面板のうちの一つの間に挟まれた複合ストラップを含む、請求項１ないし４のいずれか一項に記載の複合サンドイッチ構造。
【請求項６】
休み手段が、接合部においてラップを接合する接着層を含む、請求項１ないし５のいずれか一項に記載の複合サンドイッチ構造。
【請求項７】
休み手段が、各接合部を覆う複合ストラップを含む、請求項１ないし６のいずれか一項に記載の複合サンドイッチ構造。
【請求項８】
複合サンドイッチ構造を作製する方法であって、
複数のコアセグメントの間に接合部を形成することによってコアを作製し、
第１及び第２表面板の間にコアを挟み、これには、各表面板にコアを接合することが含まれ、
各接合部に沿って、コアと少なくとも一つの表面板の間に休み機構を形成する
ことを含む方法。
【請求項９】
休み機構を形成するステップが、各接合部に沿って各コアセグメント上に複合部材を配置することを含む、請求項８に記載の方法。
【請求項１０】
各接合部に沿って各コアセグメント上に複合ラップを配置するステップが、各コアセグメントの３つの側面それぞれの少なくとも一部の上にラップを形成することを含む、請求項８または９に記載の方法。
【請求項１１】
休み機構を形成するステップが、ラップと少なくとも一つの表面板の間に複合ストラップを配置することを含む、請求項８ないし１０のいずれか一項に記載の方法。
【請求項１２】
休み機構を形成するステップが、隣接するコアセグメント上のラップの間に接着層を塗布することを含む、請求項８ないし１１のいずれか一項に記載の方法。
【手続補正２】
【補正対象書類名】明細書
【補正対象項目名】００１０
【補正方法】変更
【補正の内容】
【００１０】
態様８．統合休み装置を有する複合サンドイッチ構造であって、
第１及び第２多重プライ複合表面板と、
第１及び第２表面板の間に挟まれ、第１及び第２表面板に接合されたセグメント化コアであって、互いの縁部間の接合部に沿って互いに継合された複数のコアセグメントを含むコアと、
第１及び第２表面板の間の休み機構であって、接合部に沿って延びて構造の不整合性の伝播を阻止する休み機構
を含む複合サンドイッチ構造。
【手続補正３】
【補正対象書類名】明細書
【補正対象項目名】００１１
【補正方法】変更
【補正の内容】
【００１１】
態様９．休み機構が、
接合部に沿って各コアセグメントの縁部をカバーする複合ラップであって、隣接するコア区域のラップにより、各接合部に沿って背中合わせのＣ字形断面を形成する複合ラップと、
接合部をそれぞれカバーし、各ラップと第１及び第２表面板のうちの一つの間に挟まれた複合ストラップ
を含む、態様８に記載の複合サンドイッチ構造。
【手続補正４】
【補正対象書類名】明細書
【補正対象項目名】００１２
【補正方法】変更
【補正の内容】
【００１２】
態様１０．さらに、
各接合部の各側面上のラップを接着によって接合させる接着層を含む、態様９に記載の複合サンドイッチ構造。
【手続補正５】
【補正対象書類名】明細書
【補正対象項目名】００１３
【補正方法】変更
【補正の内容】
【００１３】
態様１１．ラップ及びストラップはそれぞれ繊維強化樹脂である、態様９に記載の複合サンドイッチ構造。
【手続補正６】
【補正対象書類名】明細書
【補正対象項目名】００１４
【補正方法】変更
【補正の内容】
【００１４】
態様１２．複合サンドイッチ構造であって、
第１及び第２多重プライ複合表面板と、
第１及び第２表面板の間に挟まれた複数のコアセグメントを含むコアと、
コアセグメントを縁部に沿って互いに接続する接合部であって、各接合部が隣接するコアセグメントの縁部周囲にそれぞれ一対の複合ラップと、第１及び第２表面板をそれぞれ係合する一対の複合ストラップを含む接合部
を含む複合サンドイッチ構造。
【手続補正７】
【補正対象書類名】明細書
【補正対象項目名】００１５
【補正方法】変更
【補正の内容】
【００１５】
態様１３．各ラップが一つのコアセグメントの各３つの側面の少なくとも一部を覆っており、
各ラップの少なくとも一部が対応するコアセグメント内でくぼんでいる
態様１２に記載の複合サンドイッチ構造。
【手続補正８】
【補正対象書類名】明細書
【補正対象項目名】００１６
【補正方法】変更
【補正の内容】
【００１６】
態様１４．各ラップの一部が第１及び第２表面板を係合する、態様１２に記載の複合サンドイッチ構造。
【手続補正９】
【補正対象書類名】明細書
【補正対象項目名】００１７
【補正方法】変更
【補正の内容】
【００１７】
態様１５．ラップが各接合部に沿って背中合わせに配置されている、態様１２に記載の複合サンドイッチ構造。
【手続補正１０】
【補正対象書類名】明細書
【補正対象項目名】００１８
【補正方法】変更
【補正の内容】
【００１８】
態様１６．各ストラップが、ラップと第１及び第２表面板のうちの一つの間に位置づけされている、態様１２に記載の複合サンドイッチ構造。
【手続補正１１】
【補正対象書類名】明細書
【補正対象項目名】００１９
【補正方法】変更
【補正の内容】
【００１９】
態様１７ないし２２．省略
【手続補正１２】
【補正対象書類名】明細書
【補正対象項目名】００２０
【補正方法】変更
【補正の内容】
【００２０】
態様２３．航空機の複合サンドイッチ構造を作製する方法であって、
複数のコアセグメントを提供し、
繊維強化複合樹脂ラップでコアセグメントの縁部に沿って各コアセグメントの３つの側面を包み、
包んだコアセグメントをコアにアセンブルし、これにはコアセグメントを縁と縁とを合わせた状態で配置し、隣接するコアセグメント上のラップに当接させることによってコアセグメント間に接合部を形成することが含まれ、
各接合部に沿ってラップ間に接着層を導入し、
複数の複合ティアストラップを形成し、
一つのティアストラップを各接合部に沿ってラップの上に配置し、
構造をアセンブルし、これには第１及び第２表面板の間にコア、ラップ及びティアストラップを挟むことを含まれ、
アセンブルした構造を硬化させる
ことを含む方法。
【手続補正１３】
【補正対象書類名】明細書
【補正対象項目名】００２１
【補正方法】変更
【補正の内容】
【００２１】
態様２４．航空機の複合サンドイッチ構造であって、
一対の多重プライ複合表面板と、
表面板の間に挟まれ、表面板に接合されたコアであって、それぞれの縁部に沿って接合部で互いに継合された複数のコアセグメントを含み、各コアセグメントが対向面に凹部を含むコアと、
セグメントの縁部に沿って各コアセグメントの３つの側面周囲を包む繊維強化樹脂複合ラップであって、各ラップがほぼＣ字形断面を有し、ラップが各接合部に沿って背中合わせに配置された繊維強化樹脂複合ラップと、
各接合部におけるラップ間の接着層と、
各接合部に沿ってラップと表面板の間に挟まれた繊維強化樹脂複合ティアストラップであって、各ラップの一部はティアシートを超えて延びており、コアと、一つの表面板の間に挟まれている繊維強化樹脂複合ティアストリップ
を含み、
ラップ及びストラップはコアセグメントの凹部の中に配置されている
航空機の複合サンドイッチ構造。
【手続補正１４】
【補正対象書類名】明細書
【補正対象項目名】００４３
【補正方法】変更
【補正の内容】
【００４３】
本発明の実施形態を特定の例示の実施形態に関連させて説明したが、当然ながら特定の実施形態は説明するためのものであって、限定するものではなく、当業者によって他の変形例を発想することが可能である。
また、本願は以下に記載する態様を含む。
（態様１０１）
複合サンドイッチ構造であって、
第１及び第２複合積層表面板と、
第１及び第２表面板の間に挟まれた複数のコアセグメントを含むコアと、
構造の不整合性の伝播を阻止する、コアと、第１及び第２表面板それぞれの間の休み手段
を含む複合サンドイッチ構造。
（態様１０２）
休み手段が、各コアセグメントの縁部をカバーし且つコアと第１及び第２表面板それぞれの間に挟まれた部分を含む複合ラップ
を含む、態様１０１に記載の複合サンドイッチ構造。
（態様１０３）
各ラップの断面がおおむねＣ字形であり、一つのコアセグメントの３つの側面をカバーする、態様１０２に記載の複合サンドイッチ構造。
（態様１０４）
コアセグメントが、それぞれの縁部の間の接合部に沿って互いに継合されており、
休み手段が、接合部において各コアセグメントの縁部をカバーする複合ラップを含む、
態様１０１に記載の複合サンドイッチ構造。
（態様１０５）
休み手段がさらに、各接合部を覆っており且つ隣接しているラップと、第１及び第２表面板のうちの一つの間に挟まれた複合ストラップを含む、態様１０４に記載の複合サンドイッチ構造。
（態様１０６）
休み手段が、接合部においてラップを接合する接着層を含む、態様１０４に記載の複合サンドイッチ構造。
（態様１０７）
休み手段が、各接合部を覆う複合ストラップを含む、態様１０１に記載の複合サンドイッチ構造。
（態様１０８）
複合サンドイッチ構造を作製する方法であって、
複数のコアセグメントの間に接合部を形成することによってコアを作製し、
第１及び第２表面板の間にコアを挟み、これには、各表面板にコアを接合することが含まれ、
各接合部に沿って、コアと少なくとも一つの表面板の間に休み機構を形成する
ことを含む方法。
（態様１０９）
休み機構を形成するステップが、各接合部に沿って各コアセグメント上に複合部材を配置することを含む、態様１０８に記載の方法。
（態様１１０）
各接合部に沿って各コアセグメント上に複合ラップを配置するステップが、各コアセグメントの３つの側面それぞれの少なくとも一部の上にラップを形成することを含む、態様１０８に記載の方法。
（態様１１１）
休み機構を形成するステップが、ラップと少なくとも一つの表面板の間に複合ストラップを配置することを含む、態様１０８に記載の方法。
（態様１１２）
休み機構を形成するステップが、隣接するコアセグメント上のラップの間に接着層を塗布することを含む、態様１０８に記載の方法。